(57)【要約】  簡素な構成でありながら所望の配光特性が得られる光学部材を提供する。光学部材は、第１の面に沿って広がり、第１の面と直交する第１の方向に厚みを有するものであり、第１の方向において互いに重なり合う領域以外の領域に位置すると共に第１の面に対し９０°未満の角度Ａmをそれぞれなすように傾斜して入射光をそれぞれ透過する第１から第ｎ番目までのｎ個の斜面を有し、下記の条件式（１）および条件式（２）を満たしている。  ＷＡ≧Ａm−Ａm-1  ……（１）  Ａn＞Ａn-1・・・＞Ａm＞Ａm-1＞・・・Ａ2＞Ａ1  ……（２）ただし、ＷＡは入射光の配光分布の半値幅以下に相当する角度であり、Ａmは第１の面に対する第ｍ番目の斜面のなす角度であり、Ａm-1は第１の面に対する第ｍ−１番目の斜面のなす角度であり、ｎは２以上の自然数であり、ｍはｎ以下の任意の自然数である。
2018198483.tif 000002
【特許請求の範囲】
【請求項１】
第１の面に沿って広がり、前記第１の面と直交する第１の方向に厚みを有する光学部材であって、
前記第１の方向において互いに重なり合う領域以外の領域に位置すると共に前記第１の面に対し９０°未満の角度Ａmをそれぞれなすように傾斜して入射光をそれぞれ透過する第１から第ｎ番目までのｎ個の斜面を有し、
下記の条件式（１）および条件式（２）を満たす
光学部材。
ＷＡ≧Ａm−Ａm-1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
【請求項２】
前記ｎ個の斜面の全てが連なっている
請求項１記載の光学部材。
【請求項３】
第ｍ番目の前記斜面と、第ｍ−１番目の前記斜面とが連続している
請求項２記載の光学部材。
【請求項４】
第ｍ番目の前記斜面における前記第１の面に投影される投影面積は、前記第ｍ番目の斜面を透過して射出する射出光の射出角をθmとするとき、関数ｓｉｎθmと関数ｆ（θm）との積に比例する
請求項１記載の光学部材。
【請求項５】
前記関数ｆ（θm）は、ｓｉｎ２θmまたはｃｏｓθmである
請求項４記載の光学部材。
【請求項６】
第ｍ番目の前記斜面を透過して射出する射出光の射出角をθmとし、第ｍ−１番目の前記斜面を透過して射出する射出光の射出角をθm-1とするとき、角度θｍと角度θｍ-１との差分が実質的に一定となるように角度Ａｍと角度Ａｍ-１の差分が規定されている
請求項１記載の光学部材。
【請求項７】
前記ｎ個の斜面は、それぞれ、前記第１の方向に高さを有するｎ個の円錐台の側面である
請求項１記載の光学部材。
【請求項８】
前記ｎ個の斜面における前記第１の面内の各々の中心位置は、互いに実質的に一致している
請求項７記載の光学部材。
【請求項９】
前記ｎ個の斜面は互いに連なることにより全体として入射側に向いた一の凹部を形成している
請求項８記載の光学部材。
【請求項１０】
前記凹部が前記第１の面に沿って周期配列されている
請求項９記載の光学部材。
【請求項１１】
前記ｎ個の斜面は、それぞれ、前記第１の方向に高さを有するｎ個の円錐の側面である
請求項１記載の光学部材。
【請求項１２】
前記ｎ個の円錐が前記第１の面に沿って配置されて一の円錐群を形成しており、
複数の前記円錐群が前記第１の面内において周期配列されている
請求項１１記載の光学部材。
【請求項１３】
前記第１の面に投影される前記ｎ個の斜面の投影面積は、前記角度Ａｍが大きくなるほど小さくなる
請求項１記載の光学部材。
【請求項１４】
前記入射光の配光分布の半値幅に相当する角度は３０°以下である
請求項１記載の光学部材。
【請求項１５】
第１の面に沿って広がり、前記第１の面と直交する第１の方向に厚みを有する光学部材であって、
前記第１の方向において互いに重なり合う領域以外の領域に位置すると共に前記第１の面に対し離散的にそれぞれ異なる９０°未満の角度をなすように傾斜して入射光をそれぞれ透過する複数の斜面を有し、
前記複数の斜面のうちの第１の斜面における前記第１の面に対する第１の角度は、前記複数の斜面のうちの第２の斜面における前記第１の面に対する第２の角度と最も近接しており、
前記第１の角度と前記第２の角度との差分は、前記入射光の配光分布の半値幅に相当する角度以下である
光学部材。
【請求項１６】
画像光を発する画像表示部と、
第１の面に沿って広がり、前記第１の面と直交する第１の方向に厚みを有し、前記画像表示部からの前記画像光を透過する光学部材と
を備え、
前記光学部材は、
前記第１の方向において互いに重なり合う領域以外の領域に位置すると共に前記第１の面に対し９０°未満の角度Ａmをそれぞれなすように傾斜して入射光をそれぞれ透過する第１から第ｎ番目までのｎ個の斜面を有し、
下記の条件式（１）および条件式（２）を満たす
表示装置。
ＷＡ≧Ａm−Ａm+1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
【請求項１７】
照明光を発する光源と、
第１の面に沿って広がり、前記第１の面と直交する第１の方向に厚みを有し、前記光源からの前記照明光を透過する光学部材と
を備え、
前記光学部材は、
前記第１の方向において互いに重なり合う領域以外の領域に位置すると共に前記第１の面に対し９０°未満の角度Ａmをそれぞれなすように傾斜して入射光をそれぞれ透過する第１から第ｎ番目までのｎ個の斜面を有し、
下記の条件式（１）および条件式（２）を満たす
照明装置。
ＷＡ≧Ａm−Ａm+1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
【発明の詳細な説明】
【技術分野】
【０００１】
本開示は、入射光の配光調整を行う光学部材、ならびにこれを備えた表示装置および照明装置に関する。
【背景技術】
【０００２】
これまでに、入射光線を透過する際に、その透過光の配光特性を調整する光学部材として種々の技術が提案されている（例えば非特許文献１参照）。
【先行技術文献】
【非特許文献】
【０００３】
【非特許文献１】LIGHT SHAPING DIFFUSER OVERVIEW、［平成２９年４月２１日検索］、インターネット＜URL：http://www.luminitco.com/products/light-shaping-diffusers＞
【発明の概要】
【０００４】
ところで、このような光学部材においては、簡素な構成でありながら所望の配光特性が得られることが望まれる。
【０００５】
したがって、簡素な構成でありながら所望の配光特性が得られる光学部材、ならびにそれを備えた表示装置および照明装置を提供することが望ましい。
【０００６】
本開示の一実施形態としての第１の光学部材は、第１の面に沿って広がり、第１の面と直交する第１の方向に厚みを有するものであり、第１の方向において互いに重なり合う領域以外の領域に位置すると共に第１の面に対し９０°未満の角度Ａmをそれぞれなすように傾斜して入射光をそれぞれ透過する第１から第ｎ番目までのｎ個の斜面を有し、下記の条件式（１）および条件式（２）を満たしている。
ＷＡ≧Ａm−Ａm-1  ……（１）
Ａn＞Ａn-1・・・＞Ａm＞Ａm-1＞・・・Ａ2＞Ａ1  ……（２）
ただし、ＷＡは入射光の配光分布の半値幅以下に相当する角度であり、Ａmは第１の面に対する第ｍ番目の斜面のなす角度であり、Ａm-1は第１の面に対する第ｍ−１番目の斜面のなす角度であり、ｎは２以上の自然数であり、ｍはｎ以下の任意の自然数である。
【０００７】
また、本開示の一実施形態としての表示装置は、画像光を発する画像表示部と、第１の面に沿って広がり、第１の面と直交する第１の方向に厚みを有し、画像表示部からの画像光を透過する光学部材とを備えるようにしたものである。さらに、本開示の一実施形態としての照明装置は、照明光を発する光源と、第１の面に沿って広がり、第１の面と直交する第１の方向に厚みを有し、光源からの照明光を透過する光学部材とを備えるようにしたものである。ここで、上記表示装置および上記照明装置における光学部材は、上記本開示の一実施形態としての第１の光学部材と実質的に同じものである。
【０００８】
本開示の一実施形態としての第２の光学部材は、第１の面に沿って広がり、第１の面と直交する第１の方向に厚みを有するものであり、第１の方向において互いに重なり合う領域以外の領域に位置すると共に第１の面に対し離散的にそれぞれ異なる９０°未満の角度をなすように傾斜して入射光をそれぞれ透過する複数の斜面を有する。ここで複数の斜面のうちの第１の斜面における第１の面に対する第１の角度は、複数の斜面のうちの第２の斜面における第１の面に対する第２の角度と最も近接しており、第１の角度と第２の角度との差分は、入射光の配光分布の半値幅に相当する角度以下である。
【０００９】
本開示の一実施形態としての光学部材、表示装置および照明装置では、第１の面に対し９０°未満の範囲でとびとびの大きさの角度を有する斜面を含むようにしたので、所望の配光特性が容易に得られる。
【００１０】
本開示の一実施形態としての光学部材によれば、簡素な構成でありながら所望の配光特性が得られる。よって、この光学部材を備えた表示装置によれば、例えば優れた視野角特性を実現できる。また、この光学部材を備えた照明装置によれば、例えば配光方向による照明光の偏りを緩和するなど、照明光の指向性の調整が実現できる。
なお、本開示の効果はこれに限定されるものではなく、以下に記載のいずれの効果であってもよい。
【図面の簡単な説明】
【００１１】
【図１】本開示の第１の実施の形態に係る光学部材を備えた表示ユニットの全体構成例を表す斜視図である。
【図２】図１に示した光学部材の一部を拡大して表す平面図である。
【図３】図１に示した発光部材の要部の構成を表す断面図である。
【図４】完全拡散面の有する光線強度配光特性を表すものであり、射出角と光束密度との関係を表す特性図である。
【図５】図１に示した光学部材の第１の変形例の構成を表す断面図である。
【図６】図１に示した光学部材の第１の変形例の構成を表す平面図である。
【図７】図１に示した光学部材の第１の変形例における配光の様子を表す模式図である。
【図８】図１に示した光学部材の第２の変形例の構成を表す断面図である。
【図９】図１に示した光学部材の第２の変形例における配光の様子を表す模式図である。
【図１０】図１に示した光学部材の第３の変形例の構成を表す斜視図である。
【図１１】本開示の第２の実施の形態に係る表示装置の外観を表す斜視図である。
【図１２】図１１に示した本体部を分解して表す斜視図である。
【図１３】図１２に示したパネルモジュールを分解して表す斜視図である。
【図１４Ａ】本開示の表示装置を搭載したタブレット型端末装置の外観を表す斜視図である。
【図１４Ｂ】本開示の表示装置を搭載した他のタブレット型端末装置の外観を表す斜視図である。
【図１５】本開示の発光ユニットを備えた第１の照明装置の外観を表す斜視図である。
【図１６】本開示の発光ユニットを備えた第２の照明装置の外観を表す斜視図である。
【図１７】本開示の発光ユニットの外観を表す斜視図である。
【図１８】本開示の発光ユニット装置を備えた第３の照明装置の外観を表す斜視図である。
【図１９Ａ】本開示の第４の変形例としての光学シートにおける平面形状を表す平面図である。
【図１９Ｂ】本開示の第４の変形例としての光学シートにおける断面形状を表す断面図である。
【発明を実施するための形態】
【００１２】
以下、本開示の実施の形態について図面を参照して詳細に説明する。なお、説明は以下の順序で行う。
１．第１の実施の形態
異なる角度の斜面を含む円錐状の凹部が複数設けられた光学部材を備えた表示ユニットの例。
２．変形例
３．第２の実施の形態（表示装置；液晶表示装置）
４．表示装置の適用例
５．照明装置の適用例
６．その他の変形例
【００１３】
＜１．第１の実施の形態＞
［１.１  表示装置の構成］
図１は、本開示の第１の実施の形態としての表示ユニットの全体構成例を表した斜視図である。この表示ユニットは、例えば薄型テレビジョン装置に搭載されるものであり、例えば発光装置１と、透過型の液晶表示パネル２と、光学シート３とが重なり合うように順に配置されたものである。光学シート３は、本開示の「光学部材」に対応する一具体例である。
【００１４】
本明細書では、発光装置１、液晶表示パネル２および光学シート３が並ぶ方向をＺ軸方向（前後方向または厚さ方向）とし、発光装置１、液晶表示パネル２および光学シート３における各々の主面（最も広い面）での上下方向をＸ方向、左右方向をＹ方向とする。
【００１５】
発光装置１は、例えば、透過型の液晶パネルを背後から照明するバックライトとして機能するものであり、例えば基板１０の上にマトリックス状に配列された複数の発光部１１が設けられたものである。なお、図１では、複数の発光部１１が互いに直交するＸ軸方向およびＹ軸方向の双方に沿って配列されている例を示しているが、本開示はこれに限定されるものではない。発光部１１は点光源であり、具体的にはＬＥＤ（Light Emitting Diode；発光ダイオード）により構成されている。発光部１１は、例えばＺ軸方向と一致する光軸を有している。
【００１６】
この表示装置では、発光装置１からの光が液晶表示パネル２により選択的に透過されることにより、画像表示が行われる。さらに、液晶表示パネル２からの画像光が光学シート３を透過することにより、例えばランバート則に則って配光されるなど、所望の視野角特性が得られるようになっている。
【００１７】
［１.２  光学シートの構成］
光学シート３は、第１の面（ＸＹ面）に沿って広がり、ＸＹ面と直交する第１の方向（Ｚ軸方向）に厚みを有する。光学シート３は、例えばガラスや比較的高い屈折率を有する熱可塑性樹脂などの透明体からなる。光学シート３は、ＸＹ面に対し離散的にそれぞれ異なる９０°未満の角度をなすように傾斜して入射光（ここでは液晶表示パネル２からの画像光）をそれぞれ透過する複数（第１から第ｎ番目までのｎ個）の斜面Ｓ（Ｓ１〜Ｓｎ）を有する。複数の斜面Ｓは、Ｚ軸方向において互いに重なり合う領域以外の領域に位置する。すなわち、複数の斜面Ｓの全てに対し、液晶表示パネル２からの画像光が入射可能となっている。
【００１８】
図２は、光学シート３を、その入射面３１側から眺めたときの平面構成の一部を拡大して表したものであり、図３は、光学シート３のＺ軸方向に沿った断面の一部を拡大して表している。
【００１９】
図２では、ｎ個の斜面Ｓ（Ｓ１〜Ｓｎ）が、それぞれ、Ｚ軸方向に高さを有するｎ個の円錐Ｃ（Ｃ１〜Ｃｎ）の側面である場合を例示しており、特にｎ＝１７の場合を例示している。図２に示した１７個の円錐Ｃ１〜Ｃ１７はＸＹ面内において互いに重ならない位置に配置されており、一の円錐群ＧＣを構成している。光学シート３では、複数の円錐群ＧＣがＸＹ面内において周期配列されている。
【００２０】
この光学シート３は、下記の条件式（１）および条件式（２）を満たすようになっている。
ＷＡ≧Ａm−Ａm-1  ……（１）
Ａn＞Ａn-1・・・＞Ａm＞Ａm-1＞・・・Ａ2＞Ａ1  ……（２）
ただし、ＷＡは入射光（液晶表示パネル２からの画像光）の配光分布の半値幅以下に相当する角度であり、例えば３０°以下である。ＡmはＸＹ面に対する第ｍ番目の斜面Ｓのなす角度であって光線射出角度θに対応する角度である（図３）。Ａm-1はＸＹ面に対する第ｍ−１番目の斜面Ｓm-1のなす角度である。ｎは２以上の整数であり、ｍはｎ以下の任意の自然数である。
【００２１】
図２の例では、角度ＷＡが２０°であり、円錐Ｃ１〜Ｃ１７における斜面Ｓ１〜Ｓ１７が、それぞれＸＹ面に対して５°，１０°，１５°，２０°，２５°，３０°，３５°，４０°，４５°，５０°，５５°，６０°，６５°，７０°，７５°，８０°，８５°の光線射出角度θ１〜θ１７をもたらすべき屈折角Ａ１〜Ａ１７を有している。光学シート３における屈折角は、光学シート３を構成する材質の屈折率Ｎによって異なるので、具体的には
θｍ＝ａｒｃｓｉｎ（ｓｉｎ（（９０−Ａm)−ａｒｃｓｉｎ（ｓｉｎ（（９０−Ａｍ）／Ｎ２））＊Ｎ２）  ……（３）
の関係を有する。このように光学シート３では、例えば斜面Ｓ１により射出される光線のＸＹ面に対する角度θ１と、この角度θ１に最も近接する斜面Ｓ２により射出される光線ＸＹ面に対する角度θ２との差分が５°になるように、角度θ１および角度θ２がそれぞれ設定されている。すなわち角度θ１と角度θ２との差分は、入射光である液晶表示パネル２からの画像光の配光分布の半値幅に相当する角度ＷＡ以下となっている。また、角度Ａmに対応する光線射出角度θmと、角度Ａm-1に対応する光線射出角度θm-1との差分が実質的に一定の５°となっている。
【００２２】
また、円錐Ｃ１〜Ｃ１７における各々の底面に相当する面積ＳＳは、それぞれの斜面Ｓ１〜Ｓ１７を透過して光学シート３の射出面３２から射出した射出光の角度θ（θ１〜θ１７）に依存している。すなわち、第ｍ番目の斜面ＳmにおけるＸＹ面に投影される投影面積は、第ｍ番目の斜面Ｓmを透過して射出面３２から射出する射出光の射出角をθmとするとき、関数ｓｉｎθmと関数ｆ（θm）との積に比例するとよい。ここで、関数ｆ（θm）は、ｓｉｎ２θmまたはｃｏｓθmであるとよい。したがって、ＸＹ面に投影される斜面Ｓｍの投影面積は、角度Ａｍが大きくなるほど小さくなっている。
【００２３】
このように、光学シート３によれば、角度ＷＡ［°］の半値幅を有する画像光を、例えば角度５°を有する斜面Ｓ１において５°〜ＷＡ＋５°の範囲の光線角を有する光に屈折して射出し、例えば角度１０°を有する斜面Ｓ２において１０°〜ＷＡ＋１０°の範囲の光線角を有する光に屈折して射出することとなる。したがって、液晶表示パネル２からの画像光の入射角度がある狭い角度範囲に限定されたものであったとしても、光学シート３を媒介させることにより、より広い角度に配光させることができる。
【００２４】
一般に、完全拡散面の有する光線強度配光特性はランバート則に従うものと解され、例えば図４に示した分布を示す。図４において、横軸は射出角θを表し、縦軸は光束密度（最大値を１として規格化している）を表している。これによれば、発光面（ここでは光学シート３の射出面３２）での射出角θに対する光束密度がｃｏｓθに従えば、どの方位から光学シート３の射出面３２を眺めた場合であっても等しい輝度が得られる。すなわち、視野角の変化に伴う輝度の変化（増減）は生じない。
【００２５】
［１.３  光学シート３の作用効果］
光学シート３では、そのような完全拡散面の光線強度配光特性に近づけるべく、角度ＷＡ以下の角度θ（図２の例では５°）を単位角度として、とびとびの角度Ａｍ（Ａ１〜Ａ１７）をなす斜面Ｓｍ（Ｓ１〜Ｓ１７）を有する円錐Ｃｍ（Ｃ１〜Ｃ１７）を設けるようにした。これにより、ある特定の入射角度で入射した画像光Ｌ１を、単位角度θ（例えば５°）ごとに分散して射出光Ｌ２として射出することができる。このため、この光学シート３を備えた表示装置によれば、視野角の違いによる輝度の偏りを緩和し、どの方位からもほぼ一定の輝度を有する映像を視認することができる。
【００２６】
＜２．変形例＞
（第１の変形例）
図５は、本開示の第１の変形例としての光学シート３Ａにおける要部を拡大して示した断面図である。この光学シート３Ａでは、図６に示したように、凹部Ｄが複数、ＸＹ面に沿って周期配列されている。凹部Ｄは、ｎ個（図５ではｎ＝５）の斜面Ｓ（Ｓ１〜Ｓ５）の全てが連なっている。より具体的には、第１番目の斜面Ｓ１と、第２番目の斜面Ｓ２と、第３番目の斜面Ｓ３と、第４番目の斜面Ｓ４と、第５番目の斜面Ｓ５とがこの順に連続している。このように、ｎ個の斜面Ｓは互いに連なることにより全体として入射側に向いた一の凹部Ｄを形成している。
【００２７】
ｎ個の斜面は、それぞれ、Ｚ軸方向に高さを有するｎ個の円錐台の側面である。それら、ｎ個の斜面ＳにおけるＸＹ面内の各々の中心位置は、位置Ｐにおいて互いに実質的に一致している。
【００２８】
このような構成を有する光学シート３Ａにおいても光学シート３と同様の効果が期待できる。具体的には、例えば図７に示したように、ある入射角で入射した画像光を射出面３２から分散して射出することができる。このため、この光学シート３Ａを備えた表示装置においても、視野角の違いによる輝度の偏りを緩和し、どの方位からもほぼ一定の輝度を有する映像を視認することができる。
【００２９】
（第２の変形例）
図８は、本開示の第２の変形例としての光学シート３Ｂにおける要部を拡大して示した断面図である。この光学シート３Ｂでは、凹部Ｅが複数、ＸＹ面に沿って周期配列されている。凹部Ｅは、ｎ個（図５ではｎ＝５）の斜面Ｓ（Ｓ１〜Ｓ５）の全てが連なっている。より具体的には、第１番目の斜面Ｓ１と、第２番目の斜面Ｓ２と、第３番目の斜面Ｓ３と、第４番目の斜面Ｓ４と、第５番目の斜面Ｓ５とがこの順に連続している。このように、ｎ個の斜面Ｓは互いに連なることにより全体として入射側に向いた一の凹部Ｅを形成している。
【００３０】
このような構成を有する光学シート３Ｂにおいても光学シート３と同様の効果が期待できる。具体的には、例えば図９に示したように、ある入射角で入射した画像光を射出面３２から分散して射出することができる。このため、この光学シート３Ｂを備えた表示装置においても、視野角の違いによる輝度の偏りを緩和し、どの方位からもほぼ一定の輝度を有する映像を視認することができる。
【００３１】
（第３の変形例）
図１０は、本開示の第３の変形例としての光学シート３Ｃにおける要部を拡大して示した斜視図である。この光学シート３Ｃでは、ｎ個の斜面を３つの凹部Ｆ，Ｇ，Ｈのいずれか１つに含まれるように割り付けて、凹部Ｆ，Ｇ，Ｈを近接配置したものである。
【００３２】
＜３．第２の実施の形態＞
図１１は、本技術の第２の実施の形態に係る表示装置１０１の外観を表したものである。この表示装置１０１は、上記表示ユニットを備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００３３】
図１２は、図１０に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付、基板等の取付およびスタンド１０３の取付のためのものである。後部外装部材１１３は、パネルモジュール１１２の背面および側面を被覆している。
【００３４】
図１３は、図１２に示したパネルモジュール１１２を分解して表したものである。パネルモジュール１１２は、例えば、前面側（視聴者側）から、光学シート５０および前部筐体（トップシャーシ）１２１，液晶パネル１２２，枠状部材（ミドルシャーシ）１２３，基板１０の上に複数の発光部１１が配列された発光装置１，後部筐体（バックシャーシ）１２４およびタイミングコントローラ基板１２７をこの順に有している。
【００３５】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材１２３は、液晶パネル１２２および光学シート５０を保持する枠状の樹脂部品である。後部筐体１２４は、液晶パネル１２２，枠状部材１２３および発光装置１を収容する、鉄（Ｆｅ）等よりなる金属部品である。タイミングコントローラ基板１２７もまた、後部筐体１２４の背面に実装されている。
【００３６】
この表示装置１０１では、発光装置１からの光が液晶パネル１２２により選択的に透過されることにより、画像表示が行われる。ここでは、第１の実施の形態で説明したように、配光特性に優れる光学シート３を配置するようにしたので、表示装置１０１の視野角特性が向上する。
【００３７】
＜４．表示装置の適用例＞
以下、上記のような表示装置１０１の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００３８】
図１４Ａは、上記第２の実施の形態の表示装置１０１が適用されるタブレット型端末装置の外観を表したものである。図１４Ｂは、表示装置１０１が適用される他のタブレット型端末装置の外観を表したものである。これらのタブレット型端末装置は、いずれも、例えば表示部２１０および非表示部２２０を有しており、この表示部２１０が上記実施の形態の表示装置１０１により構成されている。
【００３９】
＜５．照明装置の適用例＞
図１５および図１６は、図１７に示した発光ユニットを備えた卓上用の照明装置の外観を表したものである。図１７に示した発光ユニットは、液晶表示パネル２を有さないことを除き、図１の表示ユニットと同じ構成を有する。この照明装置は、例えば、基台８４１に設けられた支柱８４２に、照明部８４３を取り付けたものであり、この照明部８４３は、図１７の発光ユニットにより構成されている。照明部８４３は、発光装置１および光学シート３などを湾曲形状とすることにより、図１５に示した筒状、または図１６に示した曲面状など、任意の形状とすることが可能である。
【００４０】
図１８は、図１７に示した発光ユニットなどが適用される室内用の照明装置の外観を表したものである。この照明装置は、図１７に示した発光ユニットなどにより構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００４１】
これらの照明装置では、発光ユニットにおける光学シート３の作用により、所望の配光特性を有する照明が行われる。例えば配光角度により輝度分布の偏りの少ない照明を行うことができる。
【００４２】
＜６．その他の変形例＞
以上、実施の形態および変形例を挙げて本開示を説明したが、本開示は上記実施の形態等に限定されるものではなく、種々の変形が可能である。例えば、上記実施の形態において説明した凹部の形状や斜面の角度、幅などはそれに限定されるものではない。
【００４３】
また、本開示の光学シートは、例えば図１９Ａおよび図１９Ｂに示した第４の変形例としての光学シート３Ｄのように、内向きの斜面と外向きの斜面とが交互に配置された凹凸形状を有するものであってもよい。図１９ＡはＸＹ平面に沿った形状を表しており、図１９ＢはＺ軸に沿った断面形状を表している。
【００４４】
また上記実施の形態等では、Ｘ方向およびＹ方向の双方において配光の調整を行う場合について説明したが、本開示はこれに限定されるものではない。例えばＸ方向においてのみ配光を行い、Ｙ方向において配光を行う必要のない場合はＹ方向においては斜面の角度は一定であってもよい。
【００４５】
なお、本明細書中に記載された効果はあくまで例示であってその記載に限定されるものではなく、他の効果があってもよい。また、本技術は以下のような構成を取り得るものである。
（１）
第１の面に沿って広がり、前記第１の面と直交する第１の方向に厚みを有する光学部材であって、
前記第１の方向において互いに重なり合う領域以外の領域に位置すると共に前記第１の面に対し９０°未満の角度Ａmをそれぞれなすように傾斜して入射光をそれぞれ透過する
第１から第ｎ番目までのｎ個の斜面を有し、
下記の条件式（１）および条件式（２）を満たす
光学部材。
ＷＡ≧Ａm−Ａm-1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
（２）
前記ｎ個の斜面の全てが連なっている
上記（１）記載の光学部材。
（３）
第ｍ番目の前記斜面と、第ｍ−１番目の前記斜面とが連続している
上記（２）記載の光学部材。
（４）
第ｍ番目の前記斜面における前記第１の面に投影される投影面積は、前記第ｍ番目の斜面を透過して射出する射出光の射出角をθmとするとき、関数ｓｉｎθmと関数ｆ（θm）
との積に比例する
上記（１）から（４）のいずれか１つに記載の光学部材。
（５）
前記関数ｆ（θm）は、ｓｉｎ２θmまたはｃｏｓθmである
上記（４）記載の光学部材。
（６）
第ｍ番目の前記斜面を透過して射出する射出光の射出角をθmとし、第ｍ−１番目の前
記斜面を透過して射出する射出光の射出角をθm-1とするとき、角度θｍと角度θｍ-１との差分が実質的に一定となるように角度Ａｍと角度Ａｍ-１の差分が規定されている
上記（１）から（５）のいずれか１つに記載の光学部材。
（７）
前記ｎ個の斜面は、それぞれ、前記第１の方向に高さを有するｎ個の円錐台の側面である
上記（１）から（６）のいずれか１つに記載の光学部材。
（８）
前記ｎ個の斜面における前記第１の面内の各々の中心位置は、互いに実質的に一致している
上記（７）記載の光学部材。
（９）
前記ｎ個の斜面は互いに連なることにより全体として入射側に向いた一の凹部を形成している
上記（８）記載の光学部材。
（１０）
前記凹部が前記第１の面に沿って周期配列されている
上記（９）記載の光学部材。
（１１）
前記ｎ個の斜面は、それぞれ、前記第１の方向に高さを有するｎ個の円錐の側面である
上記（１）から（６）のいずれか１つに記載の光学部材。
（１２）
前記ｎ個の円錐が前記第１の面に沿って配置されて一の円錐群を形成しており、
複数の前記円錐群が前記第１の面内において周期配列されている
上記（１１）記載の光学部材。
（１３）
前記第１の面に投影される前記ｎ個の斜面の投影面積は、前記角度Ａｍが大きくなるほ
ど小さくなる
上記（１）から（１２）のいずれか１つに記載の光学部材。
（１４）
前記入射光の配光分布の半値幅に相当する角度は３０°以下である
上記（１）から（１３）のいずれか１つに記載の光学部材。
（１５）
第１の面に沿って広がり、前記第１の面と直交する第１の方向に厚みを有する光学部材であって、
前記第１の方向において互いに重なり合う領域以外の領域に位置すると共に前記第１の面に対し離散的にそれぞれ異なる９０°未満の角度をなすように傾斜して入射光をそれぞれ透過する複数の斜面を有し、
前記複数の斜面のうちの第１の斜面における前記第１の面に対する第１の角度は、前記複数の斜面のうちの第２の斜面における前記第１の面に対する第２の角度と最も近接しており、
前記第１の角度と前記第２の角度との差分は、前記入射光の配光分布の半値幅に相当する角度以下である
光学部材。
（１６）
画像光を発する画像表示部と、
第１の面に沿って広がり、前記第１の面と直交する第１の方向に厚みを有し、前記画像表示部からの前記画像光を透過する光学部材と
を備え、
前記光学部材は、
前記第１の方向において互いに重なり合う領域以外の領域に位置すると共に前記第１の面に対し９０°未満の角度Ａmをそれぞれなすように傾斜して入射光をそれぞれ透過する
第１から第ｎ番目までのｎ個の斜面を有し、
下記の条件式（１）および条件式（２）を満たす
表示装置。
ＷＡ≧Ａm−Ａm+1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
（１７）
照明光を発する光源と、
第１の面に沿って広がり、前記第１の面と直交する第１の方向に厚みを有し、前記光源からの前記照明光を透過する光学部材と
を備え、
前記光学部材は、
前記第１の方向において互いに重なり合う領域以外の領域に位置すると共に前記第１の面に対し９０°未満の角度Ａmをそれぞれなすように傾斜して入射光をそれぞれ透過する
第１から第ｎ番目までのｎ個の斜面を有し、
下記の条件式（１）および条件式（２）を満たす
照明装置。
ＷＡ≧Ａm−Ａm+1  ……（１）
Ａn＞Ａn-1・・・＞Ａm＞Ａm-1＞・・・Ａ2＞Ａ1  ……（２）
ただし、
ＷＡ：入射光の配光分布の半値幅以下に相当する角度
Ａm：第１の面に対する第ｍ番目の斜面のなす角度
Ａm-1：第１の面に対する第ｍ−１番目の斜面のなす角度
ｎ：２以上の自然数
ｍ：ｎ以下の任意の自然数
【００４６】
本出願は、日本国特許庁において２０１７年４月２７日に出願された日本特許出願番号２０１７−８８５９８号を基礎として優先権を主張するものであり、この出願のすべての内容を参照によって本出願に援用する。
【００４７】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018198483.tif 000003
【図２】
2018198483.tif 000004
【図３】
2018198483.tif 000005
【図４】
2018198483.tif 000006
【図５】
2018198483.tif 000007
【図６】
2018198483.tif 000008
【図７】
2018198483.tif 000009
【図８】
2018198483.tif 000010
【図９】
2018198483.tif 000011
【図１０】
2018198483.tif 000012
【図１１】
2018198483.tif 000013
【図１２】
2018198483.tif 000014
【図１３】
2018198483.tif 000015
【図１４Ａ】
2018198483.tif 000016
【図１４Ｂ】
2018198483.tif 000017
【図１５】
2018198483.tif 000018
【図１６】
2018198483.tif 000019
【図１７】
2018198483.tif 000020
【図１８】
2018198483.tif 000021
【図１９Ａ】
2018198483.tif 000022
【図１９Ｂ】
2018198483.tif 000023
【国際調査報告】
2018198483.tif 000024
2018198483.tif 000025